(57)【要約】【課題】  値引きによる集客効率を高め、見切り品目当て客の買い控えを防止して流通を円滑化する値引き方法の提供。【解決手段】  値下げ価格バーコードラベルｌ２は、少なくとも値下げ価格バーコード２に印字される値下げ価格情報および、少なくとも値下げ価格情報に対応する見切後価格や見切幅などと共に、値下げ価格情報が発効する時刻９，１０を視認文字で印字する。値引きはシールの貼られた時からではなく、値下げ価格情報が発効する時刻以後に有効となり、閉店時間近くに混んだり、その前に買い控えの発生もなくなり、安く買えた分、他の商品を買う意欲が生じる。【選択図】        図１
2009133978.tif 000002
【特許請求の範囲】
【請求項１】
値下げ商品の表面に付された元売価バーコードを、バーコード読み取り装置を備えたラベル発行装置で読み取り、この元データを加工編集して値下げ価格バーコードラベルを印字発行し、前記元売価バーコードに掛かるように貼り付け、元売価バーコードをレジのバーコード読み取り装置で読み取り不能とする値下げ方法において、前記値下げ価格バーコードラベルは、少なくとも値下げ価格バーコードに印字される値下げ価格情報および、少なくとも前記値下げ価格情報に対応する見切後価格や見切幅などと共に、前記値下げ価格情報が発効する時刻を視認文字で印字したことを特徴とする値下げ方法。
【発明の詳細な説明】
【技術分野】
【０００１】
本発明は、小売り流通業界で客寄せのために行われる商品の値下げ方法に関するものである。
【背景技術】
【０００２】
主に食品小売り業界等で、生鮮食料品や惣菜などの一般的に足が早い食品に対して、閉店前までに売り切りたい場合に、値引きシールを貼って値引き（「見切り」、「マークダウン」などともいう）をアナウンスする。
【０００３】
そして、値引きをアナウンスしたにも拘わらず値引きが実施されずに信用を落とすことを防止する手段として、値引き表示の外、商品の実質的に値下げ前の価格情報を含んだバーコードが、誤ってレジで読み込まれないように、そのバーコードの少なくとも一部を目隠しして、そのバーコードを読み込もうとした時には、エラーを発して、値下げ価格バーコードを読み取らなければならないことを気付かせる技術が、特許文献１により開示されている。
【特許文献１】特開２００６−２１５２３６号公報
【発明の開示】
【発明が解決しようとする課題】
【０００４】
しかしながら、従来の値引き方法には以下の問題点があった。
まず、「閉店前に値引きシールが貼られる」と半ば常識のように思われているが、これが全ての商品に当てはまるわけではない。
閉店前にシールが貼られる食品のほとんどは、生鮮食料品や惣菜といった、一般的に足が早い（痛みやすい）食品ばかりであり、日配品などの賞味期限はあまり長くないが生鮮品よりは緩やかなものや、比較的長く保存しておける賞味期限が長い食品などに値引きシールが貼られるのは、開店前や比較的店が空いている開店直後の時間帯である。よって、回転の良いスーパーなら日配品の見切りは午前中でほぼ無くなってしまうこともある。
【０００５】
然るに、見切り品目当ての客が閉店時間近くに多くやってくると、需要と供給のミスマッチが起こる。
【０００６】
また、見切りシールを客の目前で貼った場合、値引き前に買い物かごに入れた客には不公平感が芽生え、憤懣やる方ないという問題もある。
【０００７】
さらに、見切りシールを貼り始める直前に、客入りが途絶えやすいという問題も生じる。  本発明は上記従来の問題に鑑みなされたもので、本発明は、値引きによる集客効率を高め、見切り品目当て客の買い控えを防止して流通を円滑化する値引き方法の提供を目的とする。
【課題を解決するための手段】
【０００８】
上記課題を解決するため、本発明は、値下げ商品の表面に付された元売価バーコードを、バーコード読み取り装置を備えたラベル発行装置で読み取り、この元データを加工編集して値下げ価格バーコードラベルを印字発行し、前記元売価バーコードに掛かるように貼り付け、元売価バーコードをレジのバーコード読み取り装置で読み取り不能とする値下げ方法において、前記値下げ価格バーコードラベルは、少なくとも値下げ価格バーコードに印字される値下げ価格情報および、少なくとも前記値下げ価格情報に対応する見切後価格や見切幅などと共に、前記値下げ価格情報が発効する時刻を視認文字で印字したことを特徴とする。
【発明の効果】
【０００９】
本発明によれば、値引きシールの貼られた時から値引き価格となるのではなく、あくまで値下げ価格情報が発効する時刻以後に値引きが有効となるので、当該時刻前に商品を買い物かごに入れた客でも、当該時刻より前に清算レジを通らなければ値引き価格で購入でき、当該時刻はラベル上の視認文字で確認できる。
【００１０】
従って、従来の値引き方法によるのと異なり、閉店時間近くの時間帯に混み合ったり、その直前に買い控えが生じることもない。
【００１１】
そして、目当ての商品を見切り価格で購入するためには、値引きが発効するまで店内に止まる必要があるから、見切り品目当ての客も、目当ての品が安く買えた分、他の商品も買おうとする意欲が生じる。
【発明を実施するための最良の形態】
【００１２】
以下、本発明の実施の形態を図示例と共に説明する。 
図１ないし図４は本発明の一実施の形態を示している。
【００１３】
図１の元売価ラベルＬ１は、商品「生びん長まぐろ造り」に貼り付けられ、その表面には商品名、加工日、消費期限、価格、製造者、販売者、等の有用情報と、値下げ前の価格情報を含んだバーコード１が表示されている。
【００１４】
Ｌ２は本発明にかかる値下げ価格バーコードラベルを示す。該値下げ価格バーコードラベルＬ２は、図２に示すように、値下げ価格情報を含んだ値下げ価格情報バーコード２が印字されたラベル本体３と、該ラベル本体３の一端部に該ラベル本体３と一体形成された目隠し片４が、スリット（切れ目）５を介して台紙６上に粘着剤７（図３参照）で仮着されている。
【００１５】
また、ラベル本体３には、値下げ価格情報を含んだ値下げ価格情報バーコード２の他、値下げ価格に関する視認情報８も記録されている。
前記値下げ価格情報バーコード２には、ラベルＬ２が貼り付けられる商品Ｍが値引き対象品であることを示すフラグ、値引き率が小さい第一の値引き発効時刻を示すフラグ、値引き率が大きい第二の値引き発効時刻を示すフラグが記録されるものとする。
【００１６】
また、前記視認情報８には、見切幅（「円引き」や「％引き」などの値下げの幅）を表示する方法や、見切後価格（値下げ後の価格自体）を表示する他、前記値下げ価格が発効する時刻、即ち、値引きを開始する時刻を前もって視認文字で印字している。
【００１７】
本実施の形態では、前記第一の値引き発効時刻を示すフラグに対応した「19:00から３割引」、第二の値引き発効時刻を示すフラグに対応した「21:00から５割引」の表示が視認文字で印字されている。
【００１８】
前記値下げ価格バーコードラベルＬ２は、バーコード読み取り装置（スキャナ）を備えたラベル発行装置で元売価ラベルＬ１を読み取り、この元データを加工編集して印字発行される。
【００１９】
なお、前記バーコード２は、値下げ価格に関するバーコードの他に、値引き前の価格に関する情報を含むことができ、code128や二段バーコード（不図示）などを用いることもできる。
【００２０】
そして、この値下げ価格バーコードラベルＬ２を用いて値下げを行うには、図１の如く、ラベル本体３を値下げ前価格のバーコードラベルＬ１の縁に沿わせてその外側に貼り付ける。このとき、目隠し片４も同時に台紙６から剥離して、値下げ前価格のバーコード１の先頭部分を覆い隠してこれを読み取り不能にする。
【００２１】
レジのオペレータは、商品のコード表示部分をスキャナで読み取らせ、後述する図４の処理を行う。たとえば、図１の場合、レジスタは、バーコード１の図中左端の各バー数本が目隠し片４により隠されているためこれを認識できず、値下げ価格バーコードラベルＬ２の値下げ価格情報バーコード２を商品のコード表示部分として認識する。したがって、オペレータがバーコードをレジで読み取らせるだけで同時に以下の値引き処理も行うことができ、レジにおける値引き忘れを防止できる。しかも、商品についての値下げ前の情報や、製造責任者や賞味期限、原材料名やＰＲ情報等の有用情報が記載されている場合、これを値下げ価格バーコードラベルが覆い隠してしまう不都合もなく、商品の外観を損なわずに値引きをすることができる。
【００２２】
次に、図４の処理について説明する。
レジのオペレータにより上記行程で読み取られた値下げ価格情報バーコード２には、商品Ｍが値引き対象品であることを示すフラグ、値引き率が小さい第一の値引き発効時刻を示すフラグ、値引き率が大きい第二の値引き発効時刻を示すフラグが記録されている。
【００２３】
レジスタはステップ１で値引き対象商品Ｍであるか否かを判断する。ｙｅｓであればステップ２へ進み、ｎｏであれば、値引きは行われない（ステップ４）。
【００２４】
ステップ２およびステップ３では、現在の時刻ｔと上記各値引き発効時刻フラグとを比較する。現在時刻ｔが第一の時刻より前であればステップ４へ進み、値引きは行わない。
ステップ２がｙｅｓでステップ３がｎｏの場合は３割引処理され、ステップ２およびステップ３が共にｙｅｓの場合は５割引処理される。
【００２５】
かくして、第一の実施の形態によれば、どの客も値引きが発効する時刻を視認文字で確認でき、客同士間での不公平感も生じず、見切り商品を売り切ることができる。
【００２６】
また、値引き発効時間を２つ設けたことにより、従来の値引き時間帯前の買い控えや値引き時間帯以後の混雑を効果的に解消できる。
【００２７】
次に、図５ないし図７に基づき第二の実施形態を説明するに、上述したのと同一の構成要素に同一符号を付し、その説明は省略する。
【００２８】
図５中の元売価ラベルＬ１は、商品Ｍ（「牛肩  小間切れ」肉）に貼り付けられ、その表面には商品名、加工日、消費期限、価格、製造者、販売者、等の有用情報と、値下げ前の価格情報を含んだバーコード１が表示されている。
【００２９】
Ｌ２は値下げ価格バーコードラベルを示し、該値下げ価格バーコードラベルＬ２は、値下げ価格情報を含んだバーコード２が印字されたラベル本体３と、該ラベル本体３から突出するように一体形成された目隠し部４とを備えている。
【００３０】
また、ラベル本体３には、値下げ価格バーコード情報２の他、値下げ価格に関する視認情報８も記録されている。この視認情報８を表示する方法として、見切後価格（値下げ後の価格自体）を表示する方法や、見切幅（「円引き」や「％引き」などの値下げの幅）を表示する方法などがある。
【００３１】
１６はラベル本体３および目隠し部４の角隅に、ラベルＬ２を台紙以外の被着体に一旦貼付した後、剥がそうとするとラベルＬ２が破れるように形成した不正防止用の切れ目（タンパープルーフ：登録商標）である。本発明の値下げ価格バーコードラベルＬ２は、一度マークダウンに使用された後、商品から綺麗に剥がして他の商品に貼り替えた場合、レジスターを欺くことができてしまう。
【００３２】
そこで、ラベルＬ２に無理に剥がそうとするとラベルが破けて再使用できなくなるようにタンパ−プルーフ１６を設けたものである。
【００３３】
以上のように構成される第二の実施形態によっても、前述した第一の実施の形態とほぼ同様の効果を奏することができる。
【００３４】
なお、上記各実施の形態では、値引率を２種類設け、それぞれの値引が発効する時刻を視認文字で印字した場合を例示したが、本発明はこれに限るものでなく、図７のように１つのみでもよいし、３種類以上設定してもよい。
【図面の簡単な説明】
【００３５】
【図１】旧価格ラベルと値下げ価格バーコードラベルの貼付方法を示す説明図
【図２】本発明で用いる値下げ価格バーコードラベルの平面図
【図３】図２中、矢示III-III方向断面図
【図４】レジにおける値引き処理の流れ図
【図５】旧価格ラベルと値下げ価格バーコードラベルの貼付方法を示す説明図
【図６】値下げ価格バーコードラベルｌ２の構成説明図
【図７】他の実施の形態を示す説明図
【符号の説明】
【００３６】
Ｌ１…元売価ラベル（バーコードラベル）、Ｌ２…値下げ価格バーコードラベル、Ｍ…値引き対象商品、２…値下げ価格バーコード、９，１０…発効時刻
【図１】
2009133978.tif 000003
【図２】
2009133978.tif 000004
【図３】
2009133978.tif 000005
【図４】
2009133978.tif 000006
【図５】
2009133978.tif 000007
【図６】
2009133978.tif 000008
【図７】
2009133978.tif 000009